【事件の表示】
　特願２０１６−２０６４１０号「遊技機」拒絶査定不服審判事件〔平成３０年　４月２６日出願公開、特開２０１８−　６４８４５号〕について、次のとおり審決する。
【結　論】
　本件審判の請求は、成り立たない。
【理　由】
第１　手続の経緯
　本願は、平成２８年１０月２０日の出願であって、平成３０年　４月２６日に手続補正書が提出され、同年　６月１２日付けで拒絶の理由が通知され、同年１０月　１日に意見書及び手続補正書が提出され、平成３１年　３月１９日付けで最後の拒絶の理由が通知され、令和　１年　５月２４日に意見書及び手続補正書が提出されたところ、同年１０月　９日付け（謄本送達日：同年同月２３日）で、同年　５月２４日に提出された手続補正書による補正が却下されるとともに拒絶査定がなされ、それに対して、令和　２年　１月２１日に拒絶査定不服審判の請求がなされると同時に手続補正書が提出され、これに対し、当審において、同年１０月２８日付けで拒絶の理由が通知され、同年１１月２５日に意見書及び手続補正書が提出されたものである。
第２　本願発明
　本願の請求項１に係る発明（以下、「本願発明」という。）は、令和　２年１１月２５日に提出された手続補正書により補正された特許請求の範囲の請求項１に記載された次のとおりのものである（Ａ−Ｆは、本願発明を分説するために当審で付した。）。
「【請求項１】
Ａ　所定の始動条件の成立に基づいて図柄を変動表示させる図柄変動遊技を行い、該図柄変動遊技の結果として当り結果が導出された場合に、通常遊技状態よりも遊技者に有利な特定遊技状態に制御可能な遊技機であって、
Ｂ　前記図柄変動遊技中に所定の演出操作を受付可能な特定の操作演出を実行する操作演出実行手段と、
Ｃ　所定の音量調整操作が行われることに基づいて、前記図柄変動遊技に対応した演出音の音量を変更する音量変更手段と、
Ｄ　前記音量調整操作に基づく音量変更が不能とされる音量変更不能期間を発生させる音量変更不能期間発生手段と、を備え、
Ｂ１　前記特定の操作演出の実行期間として、前記演出操作を受付可能な操作受付期間と、該操作受付期間の開始前の第１期間と、該操作受付期間の終了後の第２期間とを含んだ期間が設定されており、
Ｄ１　前記音量変更不能期間は、前記図柄変動遊技中に所定条件が成立した場合に発生するものであり、
Ｄ２　前記特定の操作演出の開始前に前記所定条件が成立して開始された前記音量変更不能期間は、前記操作受付期間と前記第１期間と前記第２期間とを含んだ期間よりも長い所定期間に設定されており、
Ｅ　前記図柄変動遊技中に発生した前記音量変更不能期間内にて前記音量調整操作が行われた場合には、前記演出音の音量が変更されることなく該音量調整操作が行われたことに対応する特定通知を実行可能であり、
Ｅ１　さらに、前記特定通知は、前記特定の操作演出の開始前であっても前記音量変更不能期間内に前記音量調整操作が行われることで実行される
Ｆ　ことを特徴とする遊技機。」
第３　当審拒絶理由の概要
　令和　２年１０月２８日付けの当審における拒絶の理由は、以下を含むものである。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由２（進歩性）について
・請求項　１
・引用文献等　１−２
引用文献１．特許第５８８８５７５号公報
引用文献２．特開２０１６−１６８２０１号公報
第４　引用文献に記載された事項
１　引用文献１
　当審における拒絶の理由（令和　２年１０月２８日付け拒絶理由通知書）に引用文献１として引用され、本願の出願前に頒布された特許第５８８８５７５号公報（以下、「引用文献１」という。）には、図面とともに次の事項が記載されている（下線は当審で付した。以下、同じ。）。
（１）　「【００４１】
　第１特図始動口２３０は、本実施形態では遊技盤２００の中央に１つだけ配設している。この第１特図始動口２３０は、遊技球が進入する入り口の大きさが変化しない第一の始動領域である。
第１特図始動口２３０への入球を所定の球検出センサが検出した場合、
第１特図表示装置２１２による特図変動遊技を開始
【００４２】
　第２特図始動口２３２は、本実施形態では普図始動口２２８の下側に１つだけ配設している。すなわち、第２特図始動口２３２は、遊技盤２００の右側に設けられている。この第２特図始動口２３２の近傍には、ソレノイドによって左右に開閉自在な一対の羽根部材２３２１が設けられており、一対の羽根部材２３２１と第２特図始動口２３２を併せたものが、可変始動手段に相当し、一般には、電動チューリップ（電チュー）と呼ばれる。一対の羽根部材２３２１は、第２特図始動口２３２への入賞の難易度を変更する部材である。すなわち、一対の羽根部材２３２１が閉じたままでは第２特図始動口２３２への入球は不可能であり、一対の羽根部材２３２１が閉じた態様は入賞困難な開閉態様である。一方、普図変動遊技に当選し、普図表示装置２１０が当り図柄を停止表示した場合に一対の羽根部材２３２１が所定の時間間隔、所定の回数で開閉し、第２特図始動口２３２への球の入球が可能（入賞容易状態）になり、一対の羽根部材２３２１が開いた開状態は入賞容易な状態である。すなわち、第２特図始動口２３２は、入り口（遊技球の進入口）の大きさが小サイズ（第１の大きさに相当）と大サイズ（第２の大きさに相当）のうちのいずれか一方のサイズからいずれか他方のサイズに変化する、遊技球の進入のしやすさが可変の可変始動領域であって、第二の始動領域の一例に相当する。この大サイズの大きさは、第１特図始動口２３０の入り口の大きさよりも大きい。一対の羽根部材２３２１が開いた状態では、遊技領域１２４に進入した遊技球のうち、固定始動領域である第１特図始動口２３０に進入する遊技球よりも、可変始動領域である第２特図始動口２３２に進入する遊技球の方が多い。一方、小サイズの大きさは、第１特図始動口２３０の入り口の大きさよりも小さいか、あるいは第１特図始動口２３０の入り口の大きさ以下である。
第２特図始動口２３２への入球を所定の球検出センサが検出した場合、
第２特図表示装置２１４による特図変動遊技を開始
【００４３】
　可変入賞口２３４は、本実施形態では遊技盤２００の中央部下方に１つだけ配設している。この
可変入賞口２３４は
扉部材２３４１とを備えている
特図変動遊技に当選して第１特図表示装置２１２あるいは第２特図表示装置２１４が大当り図柄を停止表示した場合に扉部材２３４１が所定の時間間隔、所定の回数で開閉する
パチンコ機１００
（２）　「【００６８】
　＜副制御部＞
　次に、パチンコ機１００の第１副制御部４００について説明する。
第１副制御部４００
基本回路４０２を備えて
【００６９】
　また、
基本回路４０２
スピーカ１２０（およびアンプ）の制御を行うための音源ＩＣ４１６と、各種ランプ４１８の制御を行うための駆動回路４２０と、
演出ボタン１３６や、操作キーユニット１３７を構成する各種ボタンの押下を検出するボタンセンサ４２６と、演出ボタン１３６が初期位置に位置していることを検知する検知手段としての演出ボタン初期位置センサ４２７からの検知信号を基本回路４０２に出力するセンサ回路４２８と、演出可動体２２４を駆動する上腕モータ及び前腕モータや、演出可動体２２５を駆動する家紋モータの制御を行うための駆動回路４３０と、演出ボタン１３６を駆動する演出ボタン駆動モータ４３４の制御を行うための駆動回路４３２とを接続している
【００７０】
　さらに、
第１副制御部４００に
装飾図柄表示装置
２０８および遮蔽装置２４６の制御を行うための第２副制御部５００が接続されて
（３）　「【０３８９】
　図３７（ｂ）に示すように、
図柄変動表示中であって、演出ボタン１３６の操作を受け付ける操作有効期間内に演出ボタン１３６が操作されると、操作に応じた演出が行われ
（４）　「【０３９１】
　また、
図柄変動表示中であって、設定画面の非表示中において、右ボタン１３７ｄが操作された場合に
図柄変動中設定画面が表示され
図柄変動表示中であって、図柄変動中設定画面の表示中において右ボタン１３７ｄが操作されると、音量変更がなされ音量が上昇
【０３９２】
　また、
図柄変動表示中であって、設定画面の非表示中において、左ボタン１３７ｃが操作された場合に
図柄変動中設定画面が表示され
図柄変動表示中であって、図柄変動中設定画面の表示中において左ボタン１３７ｃが操作されると、音量変更がなされ音量が低下
（５）　「【０４０５】
　
図３８は、本実施形態のパチンコ機１００の装飾図柄表示装置２０８を中心とした演出の一例を段階的に示す図である。
【０４０６】
　
図３８（１）は、図３４（ｏ）に対応するものであり、主人公の殿様と敵役の剣豪との決闘シーンのアニメーションが表示されている。図３８（１）に示すように、装飾図柄表示装置２０８では、装飾図柄の変動表示が行われており、設定画面は非表示である。
【０４０７】
　
このとき、図３８（２）に示すように、右ボタン１３７ｄが操作されると、図３８（３）に示すように、図柄変動中用設定画面が表示される。
【０４０８】
　
図柄変動中用設定画面が表示されている状態で、図３８（４）に示すように、右ボタン１３７ｄが再度操作されると、図３８（５）に示すように、音量が１段階増加し、これに応じて、音量ゲージＶＧは、音量が４段階目であることを示す表示に変化する。
【０４０９】
　
図３８（６）は、図３５（ｐ）に対応するものであり、決闘シーンのアニメーションが継続している。この演出例では、その後、図３８（７）に示されるタイミングで、チャンスボタン（演出ボタン１３６）及び右キー（右ボタン１３７ｄ）の同時操作の演出（第一の演出）が開始される。そして、図３８（８）に示すように、装飾図柄表示装置２０８では、演出ボタン１３６及び右ボタン１３７ｄの両方を有効期間内に同時に操作された状態にすることを促す操作促進報知画像が表示される。この操作促進報知画像には、演出ボタン１３６を模した画像である演出ボタン画像１３６Ｐ１と、右ボタン１３７ｄを模した画像である右ボタン画像１３７ｄＰ１と、上記有効期間の残時間を表す残時間表示バー１３６Ｐ２が含まれている。
なお、図３８（８）に示されるタイミングでは、操作有効期間が開始する前であり、演出ボタン１３６や右ボタン１３７ｄを操作しても無効として取り扱われることとなる。
【０４１０】
　
そして、図３８（９）に示されるタイミングで操作有効期間が開始された後、図３８（１０）に示されるタイミングで、図３８（１１）に示すように、演出ボタン１３６及び右ボタン１３７ｄの両方が同時に操作されると、図３８（１２）に示されるように、装飾図柄表示装置２０８の上方に位置していた演出可動体２２５が装飾図柄表示装置２０８の表示画面の前面側に移動し、表示画面を隠すようにされる場合がある。このとき、装飾図柄表示装置２０８では、演出可動体２２５が光っているようなエフェクト表示（第一の操作結果表示）が行われている。すなわち、操作結果演出が行われる。
（６）　「【０４１３】
　
その後、図３８（１３）に示すように、決闘シーンのアニメーションが再開され、図３８（１４）では、主人公の殿様が敵役の剣豪に勝利し、その後、図３８（１５）に示すように、装飾図柄表示装置２０８の中央では、「装飾７−装飾７−装飾７」の装飾図柄の組み合わせが揺れ変動にて表示される。また、装飾図柄表示装置２０８の左下では、３つの装飾図柄が依然として変動表示している。
（７）　「【０４１５】
　図３９（ａ１）は、図３８（１０）に対応している。このとき、図３９（ａ２）に示すように、演出ボタン１３６を操作せず、右ボタン１３７ｄのみが操作されると、図３９（ａ３）に示すように、右ボタン画像１３７ｄＰ１の表示態様が非操作時の表示態様から操作時の表示態様に変化するが、演出可動体２２５の動作（操作結果演出）は行われない。なお、図柄変動表示の実行中において、右ボタン１３７ｄが操作されると、図柄変動中用設定画面が表示されて音量設定が可能な状態になるが、予告等の演出を行わせるためにボタン操作を促す表示（ボタン操作促進表示）が開始されてから、当該図柄変動表示が終了するまでは、図柄変動中用設定画面の表示を禁止状態にして音量設定を行わせないようにしている。
すなわち、図３８（７）のタイミングから当該図柄変動表示が終了するまでは、音量設定が禁止された状態となる。
（８）　図３８
　上記段落【０４０５】の「図３８は、本実施形態のパチンコ機１００の装飾図柄表示装置２０８を中心とした演出の一例を段階的に示す図である。」との記載、上記段落【０４０６】の「図３８（１）は、図３４（ｏ）に対応するものであり、主人公の殿様と敵役の剣豪との決闘シーンのアニメーションが表示されている。図３８（１）に示すように、装飾図柄表示装置２０８では、装飾図柄の変動表示が行われており、設定画面は非表示である。」との記載、上記段落【０４０７】の「このとき、図３８（２）に示すように、右ボタン１３７ｄが操作されると、図３８（３）に示すように、図柄変動中用設定画面が表示される。」との記載、上記段落【０４０８】の「図柄変動中用設定画面が表示されている状態で、図３８（４）に示すように、右ボタン１３７ｄが再度操作されると、図３８（５）に示すように、音量が１段階増加し、これに応じて、音量ゲージＶＧは、音量が４段階目であることを示す表示に変化する。」との記載、上記段落【０４０９】の「図３８（６）は、図３５（ｐ）に対応するものであり、決闘シーンのアニメーションが継続している。この演出例では、その後、図３８（７）に示されるタイミングで、チャンスボタン（演出ボタン１３６）及び右キー（右ボタン１３７ｄ）の同時操作の演出（第一の演出）が開始される。そして、図３８（８）に示すように、装飾図柄表示装置２０８では、演出ボタン１３６及び右ボタン１３７ｄの両方を有効期間内に同時に操作された状態にすることを促す操作促進報知画像が表示される。この操作促進報知画像には、演出ボタン１３６を模した画像である演出ボタン画像１３６Ｐ１と、右ボタン１３７ｄを模した画像である右ボタン画像１３７ｄＰ１と、上記有効期間の残時間を表す残時間表示バー１３６Ｐ２が含まれている。……なお、図３８（８）に示されるタイミングでは、操作有効期間が開始する前であり、演出ボタン１３６や右ボタン１３７ｄを操作しても無効として取り扱われることとなる。」との記載、上記段落【０４１０】の「そして、図３８（９）に示されるタイミングで操作有効期間が開始された後、図３８（１０）に示されるタイミングで、図３８（１１）に示すように、演出ボタン１３６及び右ボタン１３７ｄの両方が同時に操作されると、図３８（１２）に示されるように、装飾図柄表示装置２０８の上方に位置していた演出可動体２２５が装飾図柄表示装置２０８の表示画面の前面側に移動し、表示画面を隠すようにされる場合がある。このとき、装飾図柄表示装置２０８では、演出可動体２２５が光っているようなエフェクト表示（第一の操作結果表示）が行われている。すなわち、操作結果演出が行われる。」との記載、上記段落【０４１３】の「その後、図３８（１３）に示すように、決闘シーンのアニメーションが再開され、図３８（１４）では、主人公の殿様が敵役の剣豪に勝利し、その後、図３８（１５）に示すように、装飾図柄表示装置２０８の中央では、「装飾７−装飾７−装飾７」の装飾図柄の組み合わせが揺れ変動にて表示される。また、装飾図柄表示装置２０８の左下では、３つの装飾図柄が依然として変動表示している。」との記載及び上記段落【０４１５】の「すなわち、図３８（７）のタイミングから当該図柄変動表示が終了するまでは、音量設定が禁止された状態となる。」との記載を参酌すると、図３８には、
装飾図柄表示装置２０８で、装飾図柄の変動表示が行われ、このとき、右ボタン１３７ｄが操作されると、図柄変動中用設定画面が表示され、図柄変動中用設定画面が表示されている状態で、右ボタン１３７ｄが再度操作されると、音量が１段階増加し、その後、決闘シーンのアニメーションが継続し、その後、演出ボタン１３６及び右ボタン１３７ｄの同時操作の演出が開始され、このタイミングから音量設定が禁止された状態となり、その後、演出ボタン１３６を模した画像である演出ボタン画像１３６Ｐ１と、右ボタン１３７ｄを模した画像である右ボタン画像１３７ｄＰ１と、有効期間の残時間を表す残時間表示バー１３６Ｐ２が含まれている操作促進報知画像が表示され、このタイミングでは、操作有効期間が開始する前であり、演出ボタン１３６や右ボタン１３７ｄを操作しても無効として取り扱われ、その後、操作有効期間が開始され、その後、演出ボタン１３６及び右ボタン１３７ｄの両方が同時に操作されると、装飾図柄表示装置２０８の上方に位置していた演出可動体２２５が装飾図柄表示装置２０８の表示画面の前面側に移動し、表示画面を隠し、このとき、装飾図柄表示装置２０８で、演出可動体２２５が光っているようなエフェクト表示が行われる操作結果演出が行われ、その後、決闘シーンのアニメーションが再開され、図柄変動表示が終了するまで音量設定が禁止された状態となる
　上記（１）−（７）の記載事項、上記（８）の認定事項から、引用文献１には、次の発明（以下、「引用発明」という。）が記載されていると認められる（ａ−ｆは、発明の構成を分説するために本願発明の発明特定事項Ａ−Ｆに対応させて当審で付した。）。
「ａ　第１特図始動口２３０への入球を所定の球検出センサが検出した場合、第１特図表示装置２１２による特図変動遊技を開始し（段落【００４１】）、第２特図始動口２３２への入球を所定の球検出センサが検出した場合、第２特図表示装置２１４による特図変動遊技を開始し（段落【００４２】）、特図変動遊技に当選して第１特図表示装置２１２あるいは第２特図表示装置２１４が大当り図柄を停止表示した場合に可変入賞口２３４の扉部材２３４１が所定の時間間隔、所定の回数で開閉する（段落【００４３】）パチンコ機１００（段落【００４３】）であって、
ｂ　スピーカ１２０（およびアンプ）の制御を行うための音源ＩＣ４１６と、各種ランプ４１８の制御を行うための駆動回路４２０と、演出ボタン１３６や、操作キーユニット１３７を構成する各種ボタンの押下を検出するボタンセンサ４２６と、演出ボタン１３６が初期位置に位置していることを検知する検知手段としての演出ボタン初期位置センサ４２７からの検知信号を基本回路４０２に出力するセンサ回路４２８と、演出可動体２２４を駆動する上腕モータ及び前腕モータや、演出可動体２２５を駆動する家紋モータの制御を行うための駆動回路４３０と、演出ボタン１３６を駆動する演出ボタン駆動モータ４３４の制御を行うための駆動回路４３２とを接続している基本回路４０２（段落【００６９】）を備えている第１副制御部４００（段落【００６８】）に、装飾図柄表示装置２０８および遮蔽装置２４６の制御を行うための第２副制御部５００が接続されており（段落【００７０】）、図柄変動表示中であって、演出ボタン１３６の操作を受け付ける操作有効期間内に演出ボタン１３６が操作されると、操作に応じた演出が行われ（段落【０３８９】）、
ｃ　図柄変動表示中であって、設定画面の非表示中において、右ボタン１３７ｄが操作された場合に、図柄変動中設定画面が表示され、図柄変動表示中であって、図柄変動中設定画面の表示中において右ボタン１３７ｄが操作されると、音量変更がなされ音量が上昇し（段落【０３９１】）、図柄変動表示中であって、設定画面の非表示中において、左ボタン１３７ｃが操作された場合に、図柄変動中設定画面が表示され、図柄変動表示中であって、図柄変動中設定画面の表示中において左ボタン１３７ｃが操作されると、音量変更がなされ音量が低下し（段落【０３９２】）、
ｂ１、ｄ、ｄ１、ｄ２、ｅ　装飾図柄表示装置２０８で、装飾図柄の変動表示が行われ、このとき、右ボタン１３７ｄが操作されると、図柄変動中用設定画面が表示され、図柄変動中用設定画面が表示されている状態で、右ボタン１３７ｄが再度操作されると、音量が１段階増加し、その後、決闘シーンのアニメーションが継続し、その後、演出ボタン１３６及び右ボタン１３７ｄの同時操作の演出が開始され、このタイミングから音量設定が禁止された状態となり、その後、演出ボタン１３６を模した画像である演出ボタン画像１３６Ｐ１と、右ボタン１３７ｄを模した画像である右ボタン画像１３７ｄＰ１と、有効期間の残時間を表す残時間表示バー１３６Ｐ２が含まれている操作促進報知画像が表示され、このタイミングでは、操作有効期間が開始する前であり、演出ボタン１３６や右ボタン１３７ｄを操作しても無効として取り扱われ、その後、操作有効期間が開始され、その後、演出ボタン１３６及び右ボタン１３７ｄの両方が同時に操作されると、装飾図柄表示装置２０８の上方に位置していた演出可動体２２５が装飾図柄表示装置２０８の表示画面の前面側に移動し、表示画面を隠し、このとき、装飾図柄表示装置２０８で、演出可動体２２５が光っているようなエフェクト表示が行われる操作結果演出が行われ、その後、決闘シーンのアニメーションが再開され、図柄変動表示が終了するまで音量設定が禁止された状態となる（認定事項（７））、
ｆ　パチンコ機１００（段落【００４３】）。」
２　引用文献２
　当審における拒絶の理由（令和　２年１０月２８日付け拒絶理由通知書）に引用文献２として引用され、本願の出願前に頒布された特開２０１６−１６８２０１号公報（以下、「引用文献２」という。）には、図面とともに次の事項が記載されている。
（１）　「【００５６】
　［１．第１実施形態］
　［１−１．遊技用システムの構成］
　図１は、第１実施形態における第１遊技用システム１Ａのシステム構成の一例を表す図である。
　第１遊技用システム１Ａは、不図示の遊技島に設置される遊技機の一種である複数のパチンコ機２と、各
パチンコ機２に対応して設けられる
データ表示装置４
（２）　「【０４７７】
　また、
遊技者が音量／光量変更アイコンを指でタップすると、
音量／光量を変更するための音量等変更画面が、遊技データ画面にポップアップ表示され
（３）　「【０４７９】
　具体的には、同図の
音量等変更画面では、音量変更画面として「２」〜「１４」までの数字が黒字で中抜き表示された音量アイコンが表示され
【０４８０】
　遊技者は、
音量アイコンの左右各部に表示された三角形の音量変更用アイコンをタップすることで、音量を変更させることができる
（４）　「【０５４５】
　［１−１０．変形例］
　［１−１０−１．音量等設定処理］
　
データ表示装置４
（５）　「【０５４８】
　この条件を満たす場合は（Ｐ１０；Ｙｅｓ）、音量等設定部４１６は、音量等変更制限報知処理を行う（Ｐ１２）。具体的には、
音量／光量の変更が制限（規制）されていることを遊技者に報知するために、
（６）　「【０５５０】
　図４４は、この場合におけるデータ表示装置４の第１表示部４３０の表示画面の一例を示す図である。
　図４４（１）は、大当りランニング演出画面の一例を示す図である。 この大当りランニング演出画面には、
画面中央部の枠内に、大当りを祝福する大当りランニング演出映像が表示され
映像に合わせて、大当りを祝福する音楽や音声メッセージが音出力部４５０から音出力され
【０５５１】
　
この状態で、画面下部に表示された音量／光量変更アイコンが遊技者にタップされると、
大当りランニング演出画面の中央部に、「大当りランニング演出中のため、音量／光量の変更はできません。」という表示メッセージが表示された吹き出しの音量等変更制限報知画面がポップアップ表示され
　上記（１）−（６）の記載事項から、引用文献２には、次の事項（以下、「引用文献２に記載された事項」という。）が記載されていると認められる（ｅ−ｆは、構成を分説するために本願発明の発明特定事項Ｅ−Ｆに対応させて当審で付した。）。
「ｅ、ｅ１　遊技者が音量／光量変更アイコンを指でタップすると、音量／光量を変更するための音量等変更画面が、遊技データ画面にポップアップ表示され（段落【０４７７】）、音量等変更画面では、音量変更画面として「２」〜「１４」までの数字が黒字で中抜き表示された音量アイコンが表示され（段落【０４７９】）、音量アイコンの左右各部に表示された三角形の音量変更用アイコンをタップすることで、音量を変更させることができるが（段落【０４８０】）、画面中央部の枠内に、大当りを祝福する大当りランニング演出映像が表示され、映像に合わせて、大当りを祝福する音楽や音声メッセージが音出力部４５０から音出力されている（段落【０５５０】）状態で、画面下部に表示された音量／光量変更アイコンが遊技者にタップされると（段落【０５５１】）、音量／光量の変更が制限（規制）されていることを遊技者に報知するために（段落【０５４８】）、大当りランニング演出画面の中央部に、「大当りランニング演出中のため、音量／光量の変更はできません。」という表示メッセージが表示された吹き出しの音量等変更制限報知画面がポップアップ表示される（段落【０５５１】）、
ｆ　パチンコ機２に対応して設けられる（段落【００５６】）データ表示装置４（段落【０５４５】）。」
第５　対比、判断
　本願発明と引用発明とを対比する。
１　引用発明の「第１特図始動口２３０」又は「第２特図始動口２３２」「への入球を所定の球検出センサが検出」することは、本願発明の「所定の始動条件の成立」に相当し、引用発明の「第１特図表示装置２１２」又は「第２特図表示装置２１４」「による特図変動遊技」は、本願発明の「図柄を変動表示させる図柄変動遊技」に相当し、引用発明の「特図変動遊技に当選して第１特図表示装置２１２あるいは第２特図表示装置２１４が大当り図柄を停止表示した場合」は、本願発明の「該図柄変動遊技の結果として当り結果が導出された場合」に相当し、引用発明の「可変入賞口２３４の扉部材２３４１が所定の時間間隔、所定の回数で開閉する」状態は、本願発明の「通常遊技状態よりも遊技者に有利な特定遊技状態」に相当し、引用発明の「パチンコ機１００」は、本願発明の「遊技機」に相当する。
　したがって、引用発明の発明特定事項ａ、ｆは、本願発明の発明特定事項Ａ、Ｆに相当する。
２　引用発明の「演出ボタン１３６の操作」は、本願発明の「所定の演出操作」に相当し、引用発明の「操作に応じた演出」は、本願発明の「特定の操作演出」に相当する。
　また、引用発明の「演出ボタン１３６や、操作キーユニット１３７を構成する各種ボタンの押下を検出するボタンセンサ４２６」は「基本回路４０２」に「接続」され、「基本回路４０２を備えている第１副制御部４００に、装飾図柄表示装置２０８」「の制御を行うための第２副制御部５００が接続されて」いるから、「装飾図柄の変動表示が行われ」る「装飾図柄表示装置２０８」「の制御を行う」「第２副制御部５００」と「第１副制御部４００」が、「演出ボタン１３６の操作」（所定の演出操作）「に応じた演出」（特定の操作演出）を実行することは明らかであり、引用発明の「第１副制御部４００」及び「第２副制御部５００」は、本願発明の「操作演出実行手段」に相当する。
　したがって、引用発明の発明特定事項ｂは、本願発明の発明特定事項Ｂに相当する構成を有している。
３　引用発明の「設定画面の非表示中にお」ける「図柄変動中設定画面」を「表示」するための「右ボタン１３７ｄ」又は「左ボタン１３７ｃ」の「操作」及び「図柄変動中設定画面の表示中にお」ける「音量変更」のための「右ボタン１３７ｄ」又は「左ボタン１３７ｃ」の「操作」は、本願発明の「所定の音量調整操作」に相当する。
　また、引用発明の「スピーカ１２０（およびアンプ）の制御を行うための音源ＩＣ４１６と」「演出ボタン１３６や、操作キーユニット１３７を構成する各種ボタンの押下を検出するボタンセンサ４２６と」は「基本回路４０２」に「接続」され、「第１副制御部４００」は「基本回路４０２を備えている」から、「第１副制御部４００」が、「設定画面の非表示中にお」ける「図柄変動中設定画面」を「表示」するための「右ボタン１３７ｄ」又は「左ボタン１３７ｃ」の「操作」及び「図柄変動中設定画面の表示中にお」ける「音量変更」のための「右ボタン１３７ｄ」又は「左ボタン１３７ｃ」の「操作」（所定の音量調整操作）が行われることに基づいて、「図柄変動表示中」の「音量変更」を行うことは明らかであり、引用発明の「第１副制御部４００」は、本願発明の「音量変更手段」に相当する。
　したがって、引用発明の発明特定事項ｃは、本願発明の発明特定事項Ｃに相当する構成を有している。
４　引用発明の「音量設定が禁止された状態」とすることは、本願発明の「音量変更が不能とされる音量変更不能期間を発生させる」ことに相当する。
　また、上記のとおり、引用発明の「スピーカ１２０（およびアンプ）の制御を行うための音源ＩＣ４１６と」「演出ボタン１３６や、操作キーユニット１３７を構成する各種ボタンの押下を検出するボタンセンサ４２６と」は「基本回路４０２」に「接続」され、「第１副制御部４００」は「基本回路４０２を備えている」から、「第１副制御部４００」が、「設定画面の非表示中にお」ける「図柄変動中設定画面」を「表示」するための「右ボタン１３７ｄ」又は「左ボタン１３７ｃ」の「操作」及び「図柄変動中設定画面の表示中にお」ける「音量変更」のための「右ボタン１３７ｄ」又は「左ボタン１３７ｃ」の「操作」（所定の音量調整操作）に基づき「音量設定が禁止された状態」とする（音量変更が不能とされる音量変更不能期間を発生させる）ことは明らかであり、引用発明の「第１副制御部４００」は、本願発明の「音量変更不能期間発生手段」に相当する。
　したがって、引用発明の発明特定事項ｂ１、ｄ、ｄ１、ｄ２、ｅは、本願発明の発明特定事項Ｄに相当する構成を有している。
５　引用発明の「操作有効期間」は、本願発明の「前記演出操作を受付可能な操作受付期間」に相当し、引用発明の「演出ボタン１３６を模した画像である演出ボタン画像１３６Ｐ１と、右ボタン１３７ｄを模した画像である右ボタン画像１３７ｄＰ１と、有効期間の残時間を表す残時間表示バー１３６Ｐ２が含まれている操作促進報知画像が表示され、」「操作有効期間が開始する前であ」る期間は、本願発明の「該操作受付期間の開始前の第１期間」に相当する。
　また、引用発明において、「操作有効期間が開始され」た「後、演出ボタン１３６及び右ボタン１３７ｄの両方が同時に操作されると」、「操作有効期間」が終了されることは明らかであるから、引用発明の「装飾図柄表示装置２０８の上方に位置していた演出可動体２２５が装飾図柄表示装置２０８の表示画面の前面側に移動し、表示画面を隠し、このとき、装飾図柄表示装置２０８で、演出可動体２２５が光っているようなエフェクト表示が行われる操作結果演出が行われ」る期間は、本願発明の「該操作受付期間の終了後の第２期間」に相当する。
　そして、引用発明の「演出ボタン１３６を模した画像である演出ボタン画像１３６Ｐ１と、右ボタン１３７ｄを模した画像である右ボタン画像１３７ｄＰ１と、有効期間の残時間を表す残時間表示バー１３６Ｐ２が含まれている操作促進報知画像が表示され」てから「装飾図柄表示装置２０８の上方に位置していた演出可動体２２５が装飾図柄表示装置２０８の表示画面の前面側に移動し、表示画面を隠し、このとき、装飾図柄表示装置２０８で、演出可動体２２５が光っているようなエフェクト表示が行われる操作結果演出が行われ」るまでの期間は、本願発明の「前記特定の操作演出の実行期間」に相当する。
　したがって、引用発明の発明特定事項ｂ１、ｄ、ｄ１、ｄ２、ｅは、本願発明の発明特定事項Ｂ１に相当する構成を有している。
６　引用発明は、「演出ボタン１３６及び右ボタン１３７ｄの同時操作の演出が開始され」る「タイミングから」「図柄変動表示が終了するまで」「音量設定が禁止された状態とな」るものであるから、「演出ボタン１３６及び右ボタン１３７ｄの同時操作の演出が開始され」ることを所定条件の成立とすれば、図柄変動表示中に所定条件が成立した場合に音量設定が禁止された状態となるものであるといえる。
　したがって、引用発明の発明特定事項ｂ１、ｄ、ｄ１、ｄ２、ｅは、本願発明の発明特定事項Ｄ１に相当する構成を有している。
７　引用発明は、「演出ボタン１３６及び右ボタン１３７ｄの同時操作の演出が開始され」る「タイミングから音量設定が禁止された状態とな」るものであるから、「演出ボタン１３６を模した画像である演出ボタン画像１３６Ｐ１と、右ボタン１３７ｄを模した画像である右ボタン画像１３７ｄＰ１と、有効期間の残時間を表す残時間表示バー１３６Ｐ２が含まれている操作促進報知画像が表示され」るよりも前から音量設定が禁止された状態となるものであるといえる。また、引用発明は、「図柄変動表示が終了するまで音量設定が禁止された状態となる」ものであるから、「装飾図柄表示装置２０８の上方に位置していた演出可動体２２５が装飾図柄表示装置２０８の表示画面の前面側に移動し、表示画面を隠し、このとき、装飾図柄表示装置２０８で、演出可動体２２５が光っているようなエフェクト表示が行われる操作結果演出が行われ」るよりも後まで音量設定が禁止された状態となるものであるといえる。
　したがって、引用発明の発明特定事項ｂ１、ｄ、ｄ１、ｄ２、ｅは、本願発明の発明特定事項Ｄ２に相当する構成を有している。
８　引用発明は、「演出ボタン１３６及び右ボタン１３７ｄの同時操作の演出が開始され」る「タイミングから」「図柄変動表示が終了するまで」、「右ボタン１３７ｄが操作され」ても、「音量設定が禁止された状態とな」るものである。
　したがって、引用発明の発明特定事項ｂ１、ｄ、ｄ１、ｄ２、ｅは、本願発明の発明特定事項Ｅと、「前記図柄変動遊技中に発生した前記音量変更不能期間内にて前記音量調整操作が行われた場合には、前記演出音の音量が変更されること」はない点で共通している。
　以上のことから、本願発明と引用発明とは、
［一致点］
「Ａ　所定の始動条件の成立に基づいて図柄を変動表示させる図柄変動遊技を行い、該図柄変動遊技の結果として当り結果が導出された場合に、通常遊技状態よりも遊技者に有利な特定遊技状態に制御可能な遊技機であって、
Ｂ　前記図柄変動遊技中に所定の演出操作を受付可能な特定の操作演出を実行する操作演出実行手段と、
Ｃ　所定の音量調整操作が行われることに基づいて、前記図柄変動遊技に対応した演出音の音量を変更する音量変更手段と、
Ｄ　前記音量調整操作に基づく音量変更が不能とされる音量変更不能期間を発生させる音量変更不能期間発生手段と、を備え、
Ｂ１　前記特定の操作演出の実行期間として、前記演出操作を受付可能な操作受付期間と、該操作受付期間の開始前の第１期間と、該操作受付期間の終了後の第２期間とを含んだ期間が設定されており、
Ｄ１　前記音量変更不能期間は、前記図柄変動遊技中に所定条件が成立した場合に発生するものであり、
Ｄ２　前記特定の操作演出の開始前に前記所定条件が成立して開始された前記音量変更不能期間は、前記操作受付期間と前記第１期間と前記第２期間とを含んだ期間よりも長い所定期間に設定されており、
Ｅ’　前記図柄変動遊技中に発生した前記音量変更不能期間内にて前記音量調整操作が行われた場合には、前記演出音の音量が変更されることはない
Ｆ　遊技機。」
である点で一致し、以下の点で相違する。
［相違点］（発明特定事項Ｅ、Ｅ１）
　「前記図柄変動遊技中に発生した前記音量変更不能期間内にて前記音量調整操作が行われた場合」に関して、
　本願発明は、「該音量調整操作が行われたことに対応する特定通知を実行可能であり、さらに、前記特定通知は、前記特定の操作演出の開始前であっても前記音量変更不能期間内に前記音量調整操作が行われることで実行される」のに対して、
　引用発明は、本願発明の「特定通知」に相当する構成を有しない点。
　以下、上記相違点について検討する。
１　相違点について（発明特定事項Ｅ、Ｅ１）
　引用文献２に記載された事項の「音量変更用アイコン」又は「音量／光量変更アイコン」の「タップ」は、本願発明の「音量調整操作」に相当し、引用文献２に記載された事項の「音量等変更制限報知画面」の「ポップアップ表示」は、本願発明の「特定通知」に相当する。
　また、引用文献２に記載された事項において、「「大当りランニング演出中のため、音量／光量の変更はできません。」という表示メッセージが表示された吹き出しの音量等変更制限報知画面がポップアップ表示され」ている最中に、演出音の音量が変更されないことは明らかである。
　すると、引用文献２に記載された事項は、本願発明の「前記音量変更不能期間内にて前記音量調整操作が行われた場合には、前記演出音の音量が変更されることなく該音量調整操作が行われたことに対応する特定通知を実行可能であ」るという構成を有している。
　そして、引用発明と引用文献２に記載された事項とは、ともに音量変更不能期間内にて音量調整操作が行われた場合に演出音の音量が変更されないようにするものであり、技術分野及び機能が共通しているうえに、それがパチンコ機に用いられていることも共通している。
　そうすると、引用発明の「演出ボタン１３６及び右ボタン１３７ｄの同時操作の演出が開始され」る「タイミングから」「図柄変動表示が終了するまで」「音量設定が禁止された状態とな」る期間に、「右ボタン１３７ｄ」又は「左ボタン１３７ｃ」の「操作」が行われた場合に、引用文献２に記載された事項を適用して、「音量等変更制限報知画面がポップアップ表示される」ようにすると、「音量等変更制限報知画面が」、「演出ボタン１３６を模した画像である演出ボタン画像１３６Ｐ１と、右ボタン１３７ｄを模した画像である右ボタン画像１３７ｄＰ１と、有効期間の残時間を表す残時間表示バー１３６Ｐ２が含まれている操作促進報知画像が表示され」る前であっても「音量設定が禁止された状態とな」る期間内に「右ボタン１３７ｄ」又は「左ボタン１３７ｃ」の「操作」が行われることで「ポップアップ表示される」ことは明らかであるから、引用発明に引用文献２に記載された事項を適用して、上記相違点に係る本願発明の発明特定事項とすることは、当業者が容易になし得たことである。
第６　請求人の主張について
　請求人は、令和　２年１１月２５日に提出された意見書において、引用文献１は『遊技機の演出制御に関する技術』であるのに対し、引用文献２は『情報表示器の調整制御に関する技術』であり、技術分野が異なることは明らかであるため、単に広義に遊技機に関連するからといって、引用文献１に対して引用文献２の技術を適用することは容認できるものでないと思料すると主張している。
　しかしながら、上記第５において既に検討したように、引用発明と引用文献２に記載された事項とは、ともに音量変更不能期間内にて音量調整操作が行われた場合に演出音の音量が変更されないようにするものであり、技術分野及び機能が共通しているうえに、それがパチンコ機に用いられていることも共通しているし、引用文献２に記載された事項を引用発明に適用するにあたっての阻害要因があるともいえない。
　また、請求人は、令和　２年１１月２５日に提出された意見書において、引用文献２には、補正後の請求項１に係る発明の「前記特定通知は、前記特定の操作演出の開始前であっても前記音量変更不能期間内に前記音量調整操作が行われることで実行される」という発明特定事項が開示されていないことは明らかであり、引用文献１，２を組み合わせたとしても本願発明を導き出すことはできないと主張している。
　しかしながら、請求人が主張するように、引用文献２に、補正後の請求項１に係る発明の「前記特定通知は、前記特定の操作演出の開始前であっても前記音量変更不能期間内に前記音量調整操作が行われることで実行される」という発明特定事項が開示されていないとしても、上記第５において既に検討したように、引用発明の「演出ボタン１３６及び右ボタン１３７ｄの同時操作の演出が開始され」る「タイミングから」「図柄変動表示が終了するまで」「音量設定が禁止された状態とな」る期間に、「右ボタン１３７ｄ」又は「左ボタン１３７ｃ」の「操作」が行われた場合に、引用文献２に記載された事項を適用して、「音量等変更制限報知画面がポップアップ表示される」ようにすると、「音量等変更制限報知画面が」、「演出ボタン１３６を模した画像である演出ボタン画像１３６Ｐ１と、右ボタン１３７ｄを模した画像である右ボタン画像１３７ｄＰ１と、有効期間の残時間を表す残時間表示バー１３６Ｐ２が含まれている操作促進報知画像が表示され」る前であっても「音量設定が禁止された状態とな」る期間内に「右ボタン１３７ｄ」又は「左ボタン１３７ｃ」の「操作」が行われることで「ポップアップ表示される」ことは明らかであるから、引用発明に引用文献２に記載された事項を適用して、上記相違点に係る本願発明の発明特定事項とすることは、当業者が容易になし得たことである。
　さらに、請求人が令和　２年１１月２５日に提出された意見書において主張する本願発明の奏する作用効果は、引用発明及び引用文献２に記載された事項の奏する作用効果から予測される範囲内のものにすぎず、格別に顕著なものということはできない。
　したがって、請求人の主張を採用することはできない。
第７　むすび
　以上のとおり、本願発明は、引用発明及び引用文献２に記載された事項に基いて、当業者が容易に発明をすることができたものであるから、特許法第２９条第２項の規定により特許を受けることができないものである。
　したがって、本願は拒絶すべきものである。
　よって、結論のとおり審決する。